(57)【特許請求の範囲】
【請求項１】
原稿上の画像を読み取る画像読取部と、前記画像読取部により読み取られた画像に対応する印刷画像を記録媒体に形成する画像形成部とを備えた画像処理装置であって、
ジョブの入力を受付けるジョブ受付部と、
前記ジョブ受付部が受付けた前記ジョブの中で前記画像形成部に処理させる前記ジョブを印刷ジョブとして管理する印刷ジョブ管理部と、
前記ジョブの処理にかかるジョブデータを一時的に記憶する一時記憶部と、
割込みコピーの実行指令の入力を受付ける割込みコピー受付部と、
前記割込みコピーの実行指令に基づき、前記画像読取部の稼動状況から前記割込みコピーの実行可否を判断することで前記割込みコピーの実行を制御する第１割込み制御部と、
前記第１割込み制御部が前記割込みコピーは実行可能と判断した場合に、前記印刷ジョブ管理部の印刷管理情報から前記割込みコピーの実行可否を判断することで前記割込みコピーの実行を制御するとともに、前記割込みコピーの実行可否判断時に、前記ジョブが処理されている場合には、さらに、前記一次記憶部の空き記憶容量から前記割込みコピーの実行可否を判断する第２割込み制御部とを備え、
前記ジョブ受付部は、前記割込みコピーの実行にかかる処理に必要とされる前記一次記憶部の空き記憶容量が不足した場合に、前記空き記憶容量が前記割込みコピーの実行にかかる処理に必要とされる記憶容量に達した時点で前記割込みコピーを実行するか、或いは、直ちに低画質で前記割込みコピーを実行するかの選択を受付け、
前記空き記憶容量が前記割込みコピーの実行にかかる処理に必要とされる記憶容量に達した時点で前記割込みコピーを実行するとの選択を受付けたとき、
前記第２割込み制御部は、前記ジョブの処理に必要とされる時間の合計時間を算出することで、前記空き記憶容量が前記割込みコピーの実行にかかる処理に必要とされる記憶容量に達するまでの時間を求め、前記割込みコピーを続行するか否かの選択を受付ける選択画面とともに当該時間を表示させ、前記空き記憶容量が前記割込みコピーの実行にかかる処理に必要とされる記憶容量に達した時点で前記割込みコピーを実行することを特徴とする画像処理装置。
【請求項２】
前記印刷ジョブ管理情報は、予め画像読取部により読み取られた画像を前記印刷ジョブの処理終了後に前記記録媒体に形成する予約印刷ジョブの存在情報であることを特徴とする請求項１記載の画像処理装置。
【請求項３】
前記印刷ジョブ管理情報は、前記印刷ジョブの実行情報であることを特徴とする請求項１記載の画像処理装置。
【請求項４】
前記印刷ジョブ管理情報は、前記印刷ジョブのエラー情報であることを特徴とする請求項１記載の画像処理装置。
【請求項５】
前記印刷ジョブ管理情報は、前記印刷ジョブのキャンセル情報であることを特徴とする請求項１記載の画像処理装置。
【請求項６】
前記第２割込み制御部は、前記ジョブの処理に必要とされる記憶領域の合計記憶容量に基づき、前記割込みコピーの実行にかかる処理に必要とされる記憶領域の空き記憶容量を算出することを特徴とする請求項１記載の画像処理装置。
【発明の詳細な説明】
【技術分野】
【０００１】
本発明は、印刷ジョブの処理中にコピージョブを割り込ませる割込みコピー機能を備えた画像処理装置に関するものである。
【背景技術】
【０００２】
プリンタやコピー機としての機能を備えた複合機等の画像処理装置には、何ページかの印刷物を表す印刷ジョブの実行中に、コピージョブを割り込ませる（以下、割込みコピーと称する）機能を備えるものがある（例えば、特許文献１参照）。
【０００３】
【特許文献１】特開２００４−１８６９３０号公報
【０００４】
通常、このような割込みコピーは、ユーザが、例えば、操作パネル等に設けられた割込みキーを押下し、画像処理装置が割込みコピーモードに移行することで開始される。ユーザにより割込みコピーの開始指示が入力され、画像処理装置が割込みコピーモードに移行すると、まず、画像処理装置が備える画像読取部は、割込みコピーの対象となる原稿等に形成された画像を読み取り、画像データを生成する。この画像データは、画像処理装置が備える画像形成部が解釈可能な印刷言語に翻訳され、印刷データとしてメモリに記憶される。これと同時に画像処理装置は、印刷ジョブにかかる処理が中断可能となる状態となるのを監視する処理を開始する。そして、画像処理装置は、印刷ジョブにかかる処理が中断可能となる状態となったタイミングで、印刷ジョブにかかる処理を中断し、メモリに記憶された印刷データを印刷するよう画像形成部に指示を与えることで、割込みコピーが実行される。
【発明の開示】
【発明が解決しようとする課題】
【０００５】
しかしながら、上記機能を備えた既存の画像処理装置では、割込みコピーモードに移行後、印刷データが一時的に記憶されるメモリの空き容量が不足した場合、画像読取部による画像読取動作等の割込みコピーにかかる処理が中断され、割込みコピーが実行できないといった問題があった。
【０００６】
本発明は、このような実情に鑑みてなされたものであり、本発明の課題は、実際に割込みコピーに使用されるメモリの空き容量を画像読取部による画像読取動作の前に確認することで、割り込みコピーモードに移行した後においても、確実に割込みコピーが実行可能な画像処理装置を提供することである。
【課題を解決するための手段】
【０００７】
上記課題を解決するために、本発明にかかる画像処理装置は、原稿上の画像を読み取る画像読取部と、画像読取部により読み取られた画像に対応する印刷画像を記録媒体に形成する画像形成部とを備えた画像処理装置であって、ジョブの入力を受付けるジョブ受付部と、ジョブ受付部が受付けたジョブの中で画像形成部に処理させるジョブを印刷ジョブとして管理する印刷ジョブ管理部と、ジョブの処理にかかるジョブデータを一時的に記憶する一時記憶部と、割込みコピーの実行指令の入力を受付ける割込みコピー受付部と、割込みコピーの実行指令に基づき、画像読取部の稼動状況から割込みコピーの実行可否を判断することで割込みコピーの実行を制御する第１割込み制御部と、第１割込み制御部が割込みコピーは実行可能と判断した場合に、印刷ジョブ管理部の印刷管理情報から割込みコピーの実行可否を判断することで割込みコピーの実行を制御するとともに、割込みコピーの実行可否判断時に、ジョブが処理されている場合には、さらに、一次記憶部の空き記憶容量から割込みコピーの実行可否を判断する第２割込み制御部とを備え、ジョブ受付部は、割込みコピーの実行にかかる処理に必要とされる一次記憶部の空き記憶容量が不足した場合に、空き記憶容量が割込みコピーの実行にかかる処理に必要とされる記憶容量に達した時点で割込みコピーを実行するか、或いは、直ちに低画質で割込みコピーを実行するかの選択を受付け、空き記憶容量が割込みコピーの実行にかかる処理に必要とされる記憶容量に達した時点で割込みコピーを実行するとの選択を受付けたとき、第２割込み制御部は、ジョブの処理に必要とされる時間の合計時間を算出することで、空き記憶容量が割込みコピーの実行にかかる処理に必要とされる記憶容量に達するまでの時間を求め、割込みコピーを続行するか否かの選択を受付ける選択画面とともに当該時間を表示させ、空き記憶容量が割込みコピーの実行にかかる処理に必要とされる記憶容量に達した時点で割込みコピーを実行することを特徴とする。
【０００８】
本発明の画像処理装置は、割込みコピーの実行可否を判断する第１割込み制御部及び第２割込み制御部とを備える。第１割込み制御部は、画像読取部の稼動状況に基づいて割り込みコピーが実行可能か否かを判断する。第２割込み制御部は、第１割込み制御部が割込みコピーは実行可能と判断した場合に、印刷ジョブ管理部の印刷ジョブ管理情報から割込みコピーの実行可否を判断する。さらに、第２割込み制御部は、割込みコピーの実行可否判断時に、ジョブが処理されている場合には、さらに、一次記憶部の空き記憶容量から割込みコピーの実行可否を判断するため、確実に割込みコピーを実行することができる。
【発明の効果】
【０００９】
本発明の画像処理装置によれば、実際に割込みコピーに使用されるメモリの空き容量を画像読取部による画像読取動作の前に確認することで、割り込みコピーモードに移行した後においても、確実に割込みコピーを実行することができる。
【発明を実施するための最良の形態】
【００１０】
以下、本発明の実施形態について図面を参照して説明する。なお、本発明は以下の記述に限定されるものではなく、本発明の要旨に逸脱しない範囲において適宜変更可能である。
【００１１】
[第１の実施形態]
図１は、本発明にかかる画像処理装置としての複合機１０１の概略構成を説明するブロック図である。複合機１０１は、フラットベットやＡＤＦ（Auto Document Feeder）に載置された原稿上の画像を読み取る図示せぬスキャナユニットを備えた画像読取部としてのスキャナ１０２と、スキャナ１０２から入力された画像データに基づいて用紙等の記録媒体に画像を形成する画像形成部としてのプリンタ１０３とを備える。したがって、複合機１０１は、スキャナ１０２で読み取った原稿上の画像を用紙に印刷することで外部出力することができる。また、本発明にかかる複合機１０１は、例えば、ホストＰＣ（Personal Computer）等の情報処理装置やユーザから入力された処理命令、いわゆるジョブに基づき異なる処理動作を実行することができる。例えば、複合機１０１は、ホストＰＣからの印刷ジョブの入力に基づき画像を用紙に印刷したり、ユーザによるファックス送信ジョブの入力に基づき、スキャナ１０２で読み取った画像をファックス送信データとして相手先にファックス送信することができる。このような機能を備えた複合機１０１を構成するスキャナ１０２及びプリンタ１０３について以下に説明する。
【００１２】
図２は、スキャナ１０２の要部構成を説明する機能ブロック図である。スキャナ１０２は、図示せぬスキャナユニットを駆動させて画像データを生成するスキャナ制御部２０１と、複合機１０１の装置状況等を表示すると共に、ユーザからの入力を受付けるジョブ受付部としての操作パネル２０２と、操作パネル２０２に表示させる表示内容を制御する操作パネル制御部２０３と、スキャナ１０２の稼動状況から割込みコピーが実行可能か否かを判断する第１割込み制御部２０４と、プリンタ１０３とのコマンド送受信を行うインタフェース部２０５とを備える。
【００１３】
スキャナ制御部２０１は、例えば、ＣＣＤ（Charge Coupled Device）イメージセンサ等から構成される図示せぬスキャナユニットを制御する。ＣＣＤイメージセンサは撮像素子の一つであり、原稿上で反射された光の明暗をデジタル信号に変換することで画像データを生成する。スキャナ制御部２０１は、このスキャナユニットを制御することで原稿の読み取り動作を制御する。
【００１４】
操作パネル２０２は、例えば、ＬＣＤ（Liquid Crystal Display）パネル等の出力装置から構成されており、複合機１０１の装置状況等を表示することができる。また、操作パネル２０２には、タッチパネル等の入力手段が設けられており、ユーザからのコピー、ファックス送信等の各ジョブの実行指令や、コピーメニュー、ファックスメニュー、機能設定等の各種設定の入力を受付けることができる。このような機能を備えた操作パネル２０２の具体的態様を表したのが図３である。図３に示される操作パネル２０２は、操作パネル制御部２０３が形成した表示画面を表示すると共に、ユーザによるジョブの入力を受付けるタッチパネルを備えた液晶タッチパネル３０１と、複合機１０１に実行させるジョブの変更を受付ける、コピーキー３０２ａ，ファックスキー３０２ｂ，スキャンキー３０２ｃ，プリンターキー３０２ｄから構成されるモードキー３０２と、入力された設定値を初期値に戻すリセットキー３０３と、設定値の数値入力を受付けるテンキー３０４と、モノクロコピーの実行指令を受付けるモノクロスタートキー３０５と、カラーコピーの実行指令を受付けるカラースタートキー３０６と、処理の中断を受付けるストップキー３０７と、割込みコピーの実行指令を受付ける割込みコピー受付部としての割込みキー３０８とを備える。
【００１５】
操作パネル制御部２０３は、操作パネル２０２に表示させる表示画面の表示画面データを形成する。また、操作パネル制御部２０３は、操作パネル２０２を介して入力された入力値を処理を実行する各部に供給すると共に、処理を実行した各部から供給された出力値を基に表示画面を形成し、操作パネル２０２に表示させる。
【００１６】
第１割込み制御部２０４は、操作パネル制御部２０３に対して液晶タッチパネル３０１の表示状況を問合せると共に、スキャナ制御部２０１に図示せぬスキャナユニットの稼動状況を問合せることで、スキャナ１０２における割込みコピーが実行可能か否かを判断する。また、第１割込み制御部は、インタフェース部２０５を介してプリンタ１０３の第２割込み制御部４０３に当該判断結果を通知する。
【００１７】
インタフェース部２０５は、スキャナ１０２とプリンタ１０３との間で、双方向のコマンド信号を送受信するインタフェースである。
【００１８】
図４は、プリンタ１０３の要部構成を説明するブロック図である。プリンタ１０３は、ユーザにより操作パネル２０２を介して入力されたジョブや、ホストＰＣから入力されたジョブを管理するジョブ管理部４０１と、入力されたジョブの中で印刷にかかるジョブ、いわゆる印刷ジョブを管理する印刷ジョブ管理部４０２と、印刷ジョブの処理状況から割込みコピーが実行可能か否かを判断する第２割込み制御部４０３と、プリンタ１０３が備えるメモリを制御するメモリ管理部４０４と、不揮発性メモリ４０５と、一次記憶部としての揮発性メモリ４０６と、スキャナ１０２とのコマンド送受信を行うインタフェース部４０７とを備える。
【００１９】
ジョブ管理部４０１は、例えば、コピー、ファックス送信、Ｅｍａｉｌ送信等の操作パネル２０２を介して入力されたジョブや、例えば、ホストＰＣが備えるアプリケーションプログラムで作成され、複合機１０１に入力されたドキュメントのプリント等のホストＰＣから入力されたジョブを管理する。なお、これらの入力されたジョブは、複合機１０１が備える図示せぬＣＰＵ（Central Processing Unit）が所定のアプリケーションプログラム、例えば、ＳｃａｎＴｏＰｒｉｎｔ（コピー）、ＳｃａｎＴｏファックス（ファックス送信）、ＳｃａｎＴｏＥｍａｉｌ（Ｅｍａｉｌ送信）、ＰＣＰｒｉｎｔ（プリント）を実行することにより処理される。ジョブ管理部４０１は、これらの入力されたジョブを処理するのに適したアプリケーションプログラムを割当てると共に、複数のジョブが入力された場合、どの順序でジョブを処理するかといったジョブの処理にかかるスケジューリングを行う。
【００２０】
印刷ジョブ管理部４０２は、上記の入力されたジョブの中で、印刷にかかるジョブ、例えば、コピー、プリント等の印刷ジョブを管理する。具体的には、印刷ジョブ管理部４０２は、予めスキャナ１０２により読み取られた画像を印刷ジョブの処理終了後に用紙に印刷する予約印刷ジョブの存在状況、印刷ジョブの実行状況、印刷ジョブのエラー状況、印刷ジョブのキャンセル状況等の印刷ジョブにかかる処理状況等を管理する。印刷ジョブ監視部４０２は、第２割込み制御部に当該監視情報を通知する。
【００２１】
第２割込み制御部４０３は、印刷ジョブの処理状況から割込みコピーが実行可能か否かを判断する。具体的には、第２割込み制御部４０３は、割込みコピーがスキャナ１０２において実行可能である旨の通知を受けると、プリンタ１０３が現在処理しているジョブの有無に応じて割込みコピーが実行可能か否かを判断する。例えば、第２割込み制御部４０３は、プリンタ１０３に処理中のジョブが存在する場合、一次記憶部としての揮発性メモリ４０６の空き記憶容量から割込みコピーが実行可能か否かを判断する。具体的には、第２割込み制御部４０３は、ジョブの処理にかかるメモリ使用量の合計を例えば、図８に示されるような、不揮発性メモリ３０５に格納されているアプリケーションメモリ使用量管理テーブル８０１から計算し、この動作中のジョブの処理にかかるメモリ使用量の合計をメモリ管理部４０４から取得した揮発性メモリ４０６の総メモリ容量から減ずることにより、空きメモリ容量を算出する。そして、割込みコピーに必要とされるメモリ使用量と空きメモリ容量とを比較することで割込みコピーが実行可能か否かを判断する。なお、図８に示されるアプリケーションメモリ使用量管理テーブル８０１には、それぞれのアプリケーションが開始されて、そのアプリケーションが終了するまでのメモリ使用量の変動を観察することで算出した平均のメモリ使用量が格納されている。さらに、第２割込み制御部４０３は、印刷ジョブ管理部４０２からの通知に基づいて印刷ジョブの処理状況から割込みコピーが実行可能か否かを判断する。
【００２２】
メモリ管理部４０４は、不揮発性メモリ４０５及び揮発性メモリ４０６を管理する。
【００２３】
不揮発性メモリ４０５は、上記したジョブの処理にかかるアプリケーションプログラム、各制御プログラム、又は、アプリケーションメモリ使用量管理テーブル８０１等を格納する。この不揮発性メモリ３０５には、例えば、ＲＯＭ（Read Only Memory）や、フラッシュメモリ等の書き換え可能な記憶装置、ＨＤＤ（Hard Disk Drive）等の磁気媒体等を使用することができる。
【００２４】
揮発性メモリ４０６は、図示せぬＣＰＵが、ジョブの処理にかかるアプリケーションプログラムや、各制御プログラムを実行するワーキングエリアとして使用される。この揮発性メモリ３０６には、例えばＲＡＭ（Random Access Memory）等を使用することができる。
【００２５】
インタフェース部４０７は、スキャナ１０２とプリンタ１０３との間で、双方向のコマンド信号を送受信するインタフェースである。
【００２６】
これまでに説明したスキャナ制御部２０１，操作パネル制御部２０３，第１割込み制御部２０４，ジョブ管理部４０１，印刷ジョブ管理部４０２，第２割込み制御部４０３，メモリ管理部４０４は、プログラムとして複合機１０１に実装されている。これらのプログラムは、複合機１０１の揮発性メモリ４０６に格納されてもよいし、不揮発性メモリ４０５に格納されてもよいし、フラッシュメモリ等の不揮発性の書き換え可能記憶装置として実装されていてもよく、また、ハードディスク等の磁気媒体として実装されていてもよい。複合機１０１が備えるＣＰＵがこれらのプログラムを実行することにより、その機能が実現される。
【００２７】
また、プリンタ１０３は、図示せぬ主制御部の指示に基づき画像を形成する図示せぬ、例えば電子写真方式の印刷エンジンを備える。第２割込み制御部４０３から割込みコピーの実行指令が入力された図示せぬ主制御部が図示せぬ印刷エンジンを制御することで、スキャナ１０２で読み取られた画像に対応する印刷画像を用紙に印刷することができる。
【００２８】
このような構成を備えることによって、複合機１０１は、実際に割込みコピーに使用されるメモリの空き容量を画像読取部による画像読取動作の前に確認することで、割り込みコピーモードに移行した後においても、確実に割込みコピーを実行することができる。
【００２９】
次に、操作パネル２０２が備える液晶タッチパネル３０１に表示される表示画面について図５、図６、図７を用いて説明する。
【００３０】
図５は、ジョブとしてコピーを実行させる場合に、液晶タッチパネル３０１に表示される表示画面を説明する図である。画面５０１は、コピー待機画面の一例であり（以下、コピー待機画面５０１と称する）、モードキー３０２中のコピーキー３０２ａをユーザが押下することで表示される。また、テンキー３０４を使用して所望の数値を入力することによりコピー部数を設定することができる。さらに、コピー待機画面５０１中の左側に表示されている各メニューを押下すると各設定メニューが表示され、例えば、コピー画質等を設定することができる。なお、テンキー３０４を使用して設定した設定値や各設定メニューで設定した内容は、リセットキー３０３を押下することで初期値に戻すことができる。
【００３１】
画面５０２は、画面５０１が表示されている状態で、ユーザがモノクロスタートキー３０５若しくはカラースタートキー３０６の何れかを押下した場合に表示されるコピー実行画面の一例である。なお、コピーが終了すると、再び画面５０１が表示される。
【００３２】
画面５０３は、画面５０１が表示されている状態で、ユーザが「画質」の設定メニューを押下した場合に表示される「画質」設定画面の一例である（以下、画質設定画面５０３と称する）。画質設定画面５０３において、例えば、所望の画質を選択し、「確定」を押下すると、選択した画質の入力が受付けられ、再びコピー待機画面５０１が表示される。コピー待機画面５０１の左側には、「画質」の設定メニューの他にも、「濃度」、「用紙」、「拡大／縮小」、「ソート」等の各設定メニューが存在し、これらの設定も「画質」の場合の設定と同様に、設定値を入力したり取り消したりすることができる。
【００３３】
図６は、割込みコピーを実行させる場合に、液晶タッチパネル３０１に表示される表示画面を説明する図である。画面６０１は、割込み実行画面の一例であり（以下、割込み実行画面６０１と称する）、割込みキー３０８をユーザが押下することで表示される。後述する割込みコピーの判断処理に成功すると、画面６０２ａが表示される。
【００３４】
画面６０２ａは、後述する「通常」コピー時の割込みコピー待機画面の一例であり（以下、コピー待機画面６０２ａと称する）、このコピー待機画面６０２ａが表示された状態で、モノクロスタートキー３０５若しくはカラースタートキー３０６の何れかを押下することで割込みコピーを実行することができる。
【００３５】
画面６０３は、コピー待機画面６０２ａが表示された状態で、モノクロスタートキー３０５若しくはカラースタートキー３０６の何れかを押下した場合に表示される割込みコピー実行画面の一例である（以下、割込み実行画面６０３と称する）。なお、割込みコピーが終了すると、再びコピー待機画面６０２ａが表示される。
【００３６】
なお、コピー待機画面６０２ａが表示されている状態で、再度、割込みキー３０８を押下すると、画面６０４が表示される。画面６０４は、割込みコピー解除画面の一例であり（以下、割込み解除画面６０４と称する）、割り込みコピーが解除されると、再びコピー待機画面５０１が表示される。
【００３７】
画面６０２ｂは、後述する「低機能」コピー時の割込みコピー待機画面の一例であり（以下、コピー待機画面６０２ｂと称する）、このコピー待機画面６０２ｂが表示された状態で、モノクロスタートキー３０５若しくはカラースタートキー３０６の何れかを押下することで低機能での割込みコピーを実行することができる。
【００３８】
低機能での割込みコピーが実行されると、「通常」コピー時の割込みコピーと同様に割込み実行画面６０３が表示される。なお、割込みコピーが終了すると、再びコピー待機画面６０２ｂが表示される。
【００３９】
なお、コピー待機画面６０２ｂが表示されている状態で、再度、割込みキー３０８を押下すると、割込み解除画面６０４が表示され、割込みコピーが解除されると、再びコピー待機画面５０１が表示される。
【００４０】
図７は、後述する割込みコピーの実行の判断処理結果に基づいて液晶タッチパネル３０１に表示される表示画面を説明する図である。画面７０１は、メモリ不足通知画面の一例であり（以下、メモリ不足通知画面７０１と称する）、割込みキー３０８を押下した時点で、割込みコピーを実行するために必要とされる空きメモリ容量が不足している旨を通知すると共に、ユーザが複合機１０１に実行させるコピーの種別の選択を受付ける選択画面である。ここで、コピーの種別としては、「通常」コピーと「低機能」コピーとがある。「通常」は、通常のコピーを実行することが可能であるが、「通常」コピーを実行するために必要とされる空きメモリ容量が確保されるまでコピーを実行することができない。これに対して「低機能」は、直ちにコピーを実行することができるが、コピーを実行する際の付加機能に制限が設けられる。
【００４１】
メモリ不足通知画面７０１が表示されている状態で、「通常」を選択し、「確定」を押下すると、画面７０２が表示される。画面７０２は、メモリ確保画面の一例であり（以下、メモリ確保中画面７０２と称する）、「通常」コピーを実行するために必要とされる空きメモリが確保されるまで表示される。空きメモリが確保されると、コピー待機画面６０２ａが表示される。なお、メモリ確保中画面７０２が表示されている状態で、「取り消し」を押下すると、コピー待機画面の一例であるコピー待機画面５０１が表示される。
【００４２】
一方、メモリ不足通知画面７０１が表示されている状態で、「低機能」を選択し、「確定」を押下すると、「低機能」コピー時のコピー待機画面６０２ｂが表示される。前述したように、「低機能」の場合は、コピーを実行する際の付加機能に制限が設けられるため、コピー待機画面６０２ｂの左側に表示される各設定メニューで設定できる項目に限りがある。ここで、例えば、「画質」を選択すると、画質設定画面７０３が表示される。前述した「通常」コピーの場合に表示される画質設定画面５０３に比べ、選択できる項目が少ない。その他、コピー待機画面６０２ｂの左側には、「画質」の設定メニューの他にも、「濃度」、「用紙」、「拡大／縮小」、「ソート」等の各設定メニューが存在するが、これらの設定も「画質」の場合の設定と同様に、選択できる項目が少なくなっている。
【００４３】
画面７０４は、割込みキー３０８を押下した時点で、空きメモリ不足以外の割込みコピー条件を満たしていない場合に表示される割込み失敗画面の一例である（以下、割込み失敗画面７０４と称する）。
【００４４】
次に、上記構成を備えた複合機１０１による割込みコピーの判断処理について図９、図１０、図１１、図１２、図１３、及び図１４のフローチャートを用いて説明する。まず、図９のフローチャートを用いてスキャナ１０２における割込みコピーの判断処理について説明する。
【００４５】
まず、ステップＳ９０１において、ユーザが割込みキー３０８を押下すると、操作パネル制御部２０３は、液晶タッチパネル３０１に割込み実行画面６０１を表示するよう指示を与える（ステップＳ９０２）。また、これと同時に第１割込み制御部２０４は、操作パネル制御部２０３に対して液晶タッチパネル３０１にコピー待機画面５０１が表示されていたか否かを確認する（ステップＳ９０３）。ここで、液晶タッチパネル３０１にコピー待機画面５０１が表示されていなかった場合（ステップＳ９０３  Ｎｏ）、第１割込み制御部２０４は、割込みコピーの実行は不可能と判断して、操作パネル制御部２０３に対して割込み失敗画面７０４を表示するよう指示を与える。指示を受けた操作パネル制御部２０３は、液晶タッチパネル３０１に割込み失敗画面７０４を表示させる（ステップＳ９０６）。
【００４６】
一方、液晶タッチパネル３０１にコピー待機画面５０１が表示されていた場合、（ステップＳ９０３  Ｙｅｓ）、第１割込み制御部２０４は、スキャナ制御部２０１に対して現在、画像の読み取りを行っているか否かを問合せる（ステップＳ９０４）。ここで、図示せぬスキャナユニットが画像を読み取っていた場合（ステップＳ９０４  Ｙｅｓ）、第１割込み制御部２０４は、割込みコピーの実行は不可能と判断して、操作パネル制御部２０３に対して割込み失敗画面７０４を表示するよう指示を与える。指示を受けた操作パネル制御部２０３は、液晶タッチパネル３０１に割込み失敗画面７０４を表示させる（ステップＳ９０６）。一方、図示せぬスキャナユニットが画像を読み取っていなかった場合（ステップＳ９０４  Ｎｏ）、第１割込み制御部２０４は、割込みコピーはスキャナ１０２において実行可能であると判断し、インタフェース部２０５を介してプリンタ１０３の第２割込み制御部４０３にその旨を通知する。通知を受けた第２割込み制御部４０３は、割込みコピーの判断処理を開始する（ステップＳ９０５）。
【００４７】
次に、第１割込み制御部２０４から割込みコピーはスキャナ１０２において実行可能である旨の通知を受けた第２割込み制御部４０３が実行する処理について図１０のフローチャートを用いて説明する。第１割込み制御部２０４からインタフェース部４０７を介して通知を受けると、第２割込み制御部４０３は、ジョブ管理部４０１に対してジョブのスケジューリングを一時停止するよう指示を与えると共に（ステップＳ１００１）、現在処理中のジョブが存在するか否かを問合せる（ステップＳ１００２）。ここで、処理中のジョブが存在しない場合（ステップＳ１００２  Ｎｏ）、第２割込み制御部４０３の処理は、ステップＳ１００５の印刷ジョブの処理状況に基づく割込みコピーの判断処理に移行する。
【００４８】
処理中のジョブが存在する場合（ステップＳ１００２  Ｙｅｓ）、第２割込み制御部４０３は、ジョブの処理にかかるメモリ使用量の合計を図８に示されるアプリケーションメモリ使用量管理テーブル８０１から計算し、この動作中のジョブの処理にかかるメモリ使用量の合計をメモリ管理部４０４から取得した揮発性メモリ４０６の総メモリ容量から減ずることにより、空きメモリ容量を算出する（ステップＳ１００３）。そして、空きメモリ容量が、割込みコピーで使用されるメモリ容量以上である場合（ステップＳ１００４  Ｙｅｓ）、第２割込み制御部４０３の処理は、ステップＳ１００５の印刷ジョブの処理状況に基づく割込みコピーの判断処理に移行する。一方、空きメモリ容量が割込みコピーで使用されるメモリ容量よりも小さい場合（ステップＳ１００４  Ｎｏ）、第２割込み制御部４０３の処理は、図１２で説明するメモリ不足時の割込みコピー制御処理に移行する（ステップＳ１００６）。
【００４９】
次に、印刷ジョブの処理状況に基づく割込みコピーの判断処理について図１１のフローチャートを用いて説明する。図１０のステップＳ１００２において、処理中のジョブが存在しない場合、若しくはステップＳ１００４において、空きメモリ容量が、割込みコピーで使用されるメモリ容量以上である場合、第２割込み制御部４０３は、印刷ジョブ管理部４０２に対して予約印刷ジョブが存在するか否かを問合せる（ステップＳ１１０１）。ここで、予約印刷ジョブとは、予めスキャナ１０２により読み取られた画像を印刷ジョブの処理終了後に印刷するジョブのことである。ここで、予約印刷ジョブが存在する場合（ステップＳ１１０１  Ｙｅｓ）、第２割込み制御部４０３は、割込みコピーの実行は不可能であると判断して、操作パネル制御部２０３に対して割込み失敗画面７０４を表示するよう指示を与える。指示を受けた操作パネル制御部２０３は、液晶タッチパネル３０１に割込み失敗画面７０４を表示させる（ステップＳ１１０７）。
【００５０】
一方、予約印刷ジョブが存在しない場合（ステップＳ１１０１  Ｎｏ）、第２割込み制御部４０３は、印刷ジョブ管理部４０２に対して印刷ジョブを実行しているか否かを問合せる（ステップＳ１１０２）、ここで、印刷ジョブが実行されていない場合（ステップＳ１１０２  Ｎｏ）、第２割込み制御部４０３は、割込みコピーの実行は不可能であると判断して、操作パネル制御部２０３に対して割込み失敗画面７０４を表示するよう指示を与える。指示を受けた操作パネル制御部２０３は、液晶タッチパネル３０１に割込み失敗画面７０４を表示させる（ステップＳ１１０７）。
【００５１】
一方、印刷ジョブが実行されている場合（ステップＳ１１０２  Ｙｅｓ）、第２割込み制御部４０３は、印刷ジョブ監視部４０２に対して印刷ジョブに関するエラーが発生しているか否かを問合せる（ステップＳ１１０３）。ここで、印刷ジョブに関するエラーが発生している場合（ステップＳ１１０３  Ｙｅｓ）、第２割込み制御部４０３は、割込みコピーの実行は不可能であると判断して、操作パネル２０３制御部２０３に対して割込み失敗画面７０４を表示するよう指示を与える。指示を受けた操作パネル制御部２０３は、液晶タッチパネル３０１に割込み失敗画面７０４を表示させる（ステップＳ１１０７）。
【００５２】
一方、印刷ジョブに関するエラーが発生していない場合（ステップＳ１１０３  Ｎｏ）、第２割込み制御部４０３は、印刷ジョブ監視部４０２に対して印刷ジョブがキャンセルされているか否かを問合せる（ステップＳ１１０４）。ここで、印刷ジョブがキャンセルされている場合（ステップＳ１１０４  Ｙｅｓ）、第２割込み制御部４０３は、割込みコピーの実行は不可能であると判断して、操作パネル制御部２０３に対して割込み失敗画面７０４を表示するよう指示を与える。指示を受けた操作パネル制御部２０３は、液晶タッチパネル３０１に割込み失敗画面７０４を表示させる（ステップＳ１１０７）。
【００５３】
一方、印刷ジョブがキャンセルされていない場合（ステップＳ１１０４  Ｎｏ）、第２割込み制御部４０３は、割込みコピーは実行可能であると判断して、印刷ジョブ管理部４０２に対して動作中の印刷ジョブの処理を一時停止するよう指示を与えると共に（ステップＳ１１０５）、割込みコピー処理を実行する（ステップＳ１１０６）。
【００５４】
ここで、図１０のステップＳ１００４において、空きメモリ容量が割込みコピーで使用されるメモリ使用量よりも小さい場合における処理について、図１２のフローチャートを用いて説明する。図１０のステップＳ１００４において、空きメモリ容量が割込みコピーで使用されるメモリ使用量よりも小さい場合、第２割込み制御部４０３は、操作パネル制御部２０３に対してメモリ不足通知画面７０１を表示するよう指示を与える。指示を受けた操作パネル制御部２０３は、液晶タッチパネル３０１にメモリ不足通知画面７０１を表示させる（ステップＳ１２０１）。
【００５５】
メモリ不足通知画面７０１は、前述したように、「通常」コピー或いは「低機能」コピーの何れかのコピーを実行するかの選択を受付ける。ステップＳ１２０２において、例えば、ユーザにより「低機能」コピーが選択された場合（ステップＳ１２０２  低機能コピー）、操作パネル制御部２０３は、「低機能」コピーがユーザにより選択された旨を第２割込み制御部４０３に通知する。通知を受けた第２割込み制御部４０３の処理は、図１１で説明した印刷ジョブの処理状況に基づく割込みコピーの判断処理に移行する（ステップＳ１２０５）。
【００５６】
一方、ステップＳ１２０２において、ユーザにより「通常」コピーが選択された場合（ステップＳ１２０２  通常コピー）、操作パネル制御部２０３は、「通常」コピーがユーザにより選択された旨を第２割込み制御部４０３に通知すると共に、液晶タッチパネル３０１にメモリ確保中画面７０２を表示させる（ステップＳ１２０３）。
【００５７】
「通常」コピーがユーザにより選択された旨の通知を受けた第２割込み制御部４０３は、メモリ管理部４０４に対して「通常」コピーが実行可能な空きメモリ容量となるまで揮発性メモリ４０６を監視するよう指示を与える。揮発性メモリ４０６の空きメモリ容量が「通常」コピーを実行することが可能な容量に確保された場合（ステップＳ１２０４  Ｙｅｓ）、第２割込み制御部４０３の処理は、図１１で説明した印刷ジョブの処理状況に基づく割込みコピーの判断処理に移行する（ステップＳ１２０５）。一方、揮発性メモリの空きメモリ容量が「通常」コピーを実行することが可能な容量まで確保されない場合は、さらにメモリ管理部４０４は揮発性メモリ４０６の監視を続ける（ステップＳ１２０４  Ｎｏ）。
【００５８】
次に、割込みコピーの実行処理について図１３のフローチャートを用いて説明する。まず、第２割込み制御部４０３は、割込みコピーが実行可能であると判断すると、ジョブ管理部４０１に対してジョブのスケジューリングを再開するよう指示を与えると共に（ステップＳ１３０１）、操作パネル制御部２０３に対してコピー待機画面６０２ａ又はコピー待機画面６０２ｂを表示するよう指示を与える。指示を受けた操作パネル制御部２０３は、液晶タッチパネル３０１に割込みコピー待機画面６０２ａ又はコピー待機画面６０２ｂを表示させる（ステップＳ１３０２）。
【００５９】
ここで、例えば、割込みコピー待機画面６０２中の「画質」がユーザにより選択された場合（ステップＳ１３０３）、操作パネル制御部２０３は、コピー種別を確認する（ステップＳ１３０４）。コピー種別が「通常」コピーの場合（ステップＳ１３０４  通常コピー）、操作パネル制御部２０３は、液晶タッチパネル３０１に画質設定画面５０３を表示させる（ステップＳ１３０５）。一方、コピー種別が「低機能」コピーの場合（ステップ１３０４  低機能コピー）、操作パネル制御部２０３は、液晶タッチパネル３０１に画質設定画面７０３を表示させる（ステップＳ１３０６）。
【００６０】
ステップＳ１３０７において、ユーザが所望の「画質」を選択し、モノクロスタートキー３０５若しくはカラースタートキー３０６の何れかを押下すると、割込みコピーが実行されると共に、操作パネル制御部２０３は液晶タッチパネル３０１に割込みコピー実行画面６０３を表示させる（ステップＳ１３０８）。
【００６１】
続けて割込みコピーが実行される場合には（ステップＳ１３０９  Ｎｏ）、再度液晶タッチパネル３０１に割込みコピー待機画面６０２が表示され、同様な処理が繰り返される。一方、正常に割込みコピーが終了し、直ちに割込みコピーを終了させる場合には（ステップＳ１３０９  Ｙｅｓ）、ユーザはコピーキー３０２ａを押下する。すると、操作パネル制御部２０３は割込みコピーの終了を第２割込み制御部４０３に通知すると共に、液晶パネル３０１にコピー待機画面５０１を表示させる。通知を受けた第２割込み制御部４０３は、印刷ジョブ管理部４０２に対して一時停止させていた印刷ジョブを再開させるよう指示を与えることで割込みコピーにかかる処理を終了させることができる（ステップＳ１３１０）。
【００６２】
次に、割込みコピーの解除にかかる処理について、図１４のフローチャートを用いて説明する。図１３中のステップＳ１３０２において、割込みコピー待機画面６０２が液晶タッチパネル３０１に表示されている状態で、操作パネル制御部２０３は、ユーザにより操作パネルが操作されない時間が規定時間を経過したか否かを監視している（ステップＳ１４０１）。また、操作パネル制御部２０３は、ユーザが割込みキー３０８を押下したか否かも併せて監視している（ステップＳ１４０２）。ここで、ステップＳ１４０１における待機状態が規定時間を経過した場合（ステップＳ１４０１  Ｙｅｓ）、若しくは待機時間が規定時間を経過していなくとも（ステップＳ１４０１  Ｎｏ）、ユーザが割込みキー３０８を押下した場合（ステップＳ１４０２  Ｙｅｓ）、操作パネル制御部２０３は、液晶タッチパネル３０１に割込み解除画面６０４を表示させると共に（ステップＳ１４０３）、割込みコピーを解除するよう第２割込み制御部４０３に通知する。通知を受けた第２割込み制御部４０３は、印刷ジョブ管理部４０２に対して、一時停止させていた印刷ジョブを再開させるよう指示を与える（ステップＳ１４０４）。また、第２割込み制御部４０３は、印刷ジョブの処理を再開した旨を操作パネル制御部２０３に通知すると共に、コピー待機画面５０１を表示するよう指示を与える。指示を受けた操作パネル制御部２０３は、液晶タッチパネル３０１にコピー待機画面５０１を表示させ（ステップＳ１４０５）、割込みコピーの解除にかかる処理は終了する。
【００６３】
以上のように、第１の実施形態によれば、ユーザが割込みキー３０８を押下したときに、実際に割込みコピーに使用される空きメモリ容量をスキャナ１０２による画像の読み取り動作前に確認することで、複合機１０１が割込みモード移行した後は確実に割込みコピーを実行することができる。
【００６４】
[第２の実施形態]
第２の実施形態にかかる複合機１０１’が有するスキャナ１０２’は、第１の実施形態で説明したすスキャナ１０２の構成に加えて、複合機１０１’の装置起動時からの経過時間やある動作にかかる処理時間を管理する時間管理部２０６を備える。したがって、第２の実施形態にかかる複合機１０１’によれば、揮発性メモリ４０６の空きメモリ容量が「通常」コピーを実行することが可能な容量に確保されるまでに要する時間を算出することができる。以下、このような機能を実現する第２の実施形態にかかる複合機１０１’について説明する。
【００６５】
図１５は、第２の実施形態にかかるスキャナ１０２’の要部構成を示す機能ブロック図である。スキャナ１０２’は、第１の実施形態にかかるスキャナ１０２の構成に加えて時間管理部２０６を備える。その他の構成については、スキャナ１０２と同一である。また、ここでは図示されていないが、第２の実施形態にかかるプリンタは、第１の実施形態にかかるプリンタ１０３と同一の構成を有しており、第２割込み制御部による割込みコピーにかかる処理も第１の実施形態と同様に実行することができる。したがって、以下の説明では、同一な箇所には同一の符号を付して説明を省略し、また、同一な処理動作に関してもここでの説明は省略する。
【００６６】
時間管理部２０６は、図示せぬタイマ等の計時手段を備え、複合機１０１’の装置起動時からの経過時間やある動作にかかる処理時間を管理する。時間管理部２０６は、ジョブの処理にかかる時間を、例えば、不揮発性メモリ４０５に格納されているアプリケーション実行時間管理テーブル１７０１として管理する（図１６）。なお、図１６に示されるアプリケーション実行時間管理テーブル１７０１には、それぞれのアプリケーションが開始されて、そのアプリケーションが終了するまでに要する時間の平均時間が格納されている。
【００６７】
次に、操作パネル２０２が備える液晶タッチパネル３０１に表示される表示画面について図１７を用いて説明する。図７のメモリ不足通知画面７０１が表示されている状態で、「通常」を選択し、「確定」を押下すると、画面１７０１が表示される。画面１７０１は、メモリ確保画面の一例であり（以下、メモリ確保中画面１７０１と称する）、「通常」コピーを実行するために必要とされる空きメモリが確保されるまでの時間が表示される。空きメモリが確保されると、コピー待機画面６０２ａが表示される。なお、メモリ確保中画面１７０１が表示されている状態で、「取り消し」を押下すると、コピー待機画面５０１が表示される。
【００６８】
次に、上記構成を備えた複合機１０１’の割込みコピーの判断処理について図１８及び図１９を用いて説明する。図１８は、第１割込み制御部２０４から割込みコピーはスキャナ１０２において実行可能である旨の通知を受けた第２割込み制御部４０３が実行する処理を説明するフローチャートである。第１割込み制御部２０４からインタフェース部４０７を介して通知を受けると、第２割込み制御部４０３は、ジョブ管理部４０１に対してジョブのスケジューリングを一時停止するよう指示を与えると共に（ステップＳ１８０１）、現在処理中のジョブが存在するか否かを問合せる（ステップＳ１８０２）。ここで、処理中のジョブが存在しない場合（ステップＳ１８０２  Ｎｏ）、第２割込み制御部４０３の処理は、ステップＳ１８０６の印刷ジョブの処理状況に基づく割込みコピーの判断処理に移行する。
【００６９】
処理中のジョブが存在する場合（ステップＳ１８０２  Ｙｅｓ）、第２割込み制御部４０３は、ジョブの処理かかる時間の合計を図１６に示されるアプリケーション実行時間管理テーブル１７０１から計算する（ステップＳ１８０３）。さらに、第２割込み制御部４０３は、ジョブの処理にかかるメモリ使用量の合計を図８に示されるアプリケーションメモリ使用量管理テーブル８０１から計算し、この動作中のジョブの処理にかかるメモリ使用量の合計をメモリ管理部４０４から取得した揮発性メモリ４０６の総メモリ容量から減ずることにより、空きメモリ容量を算出する（ステップＳ１８０４）。そして、空きメモリ容量が、割込みコピーで使用されるメモリ容量以上である場合（ステップＳ１８０５  Ｙｅｓ）、第２割込み制御部４０３の処理は、ステップＳ１８０６の印刷ジョブの処理状況に基づく割込みコピーの判断処理に移行する。一方、空きメモリ容量が割込みコピーで使用されるメモリ容量よりも小さい場合（ステップＳ１８０５  Ｎｏ）、第２割込み制御部４０３の処理は、図１２で説明したメモリ不足時の割込みコピー制御処理に移行する（ステップＳ１８０７）。
【００７０】
図１９は、図１８のステップＳ１８０５において、空きメモリが割込みコピーで使用されるメモリ使用量よりも小さい場合における処理を説明するフローチャートである。図１８のステップＳ１８０５において、空きメモリ容量が割込みコピーで使用されるメモリ使用量よりも小さい場合、第２割込み制御部４０３は、操作パネル制御部２０３に対してメモリ不足通知画面７０１を表示するよう指示を与える。また、この時、ステップＳ１８０３で計算したジョブの処理にかかる時間情報も合せて通知される。指示を受けた操作パネル制御部２０３は、液晶タッチパネル３０１にメモリ不足通知画面７０１を表示させる（ステップＳ１９０１）。
【００７１】
メモリ不足通知画面７０１は、前述したように、「通常」コピー或いは「低機能」コピーの何れかのコピーを実行するかの選択を受付ける。ステップＳ１９０２において、例えば、ユーザにより「低機能」コピーが選択された場合（ステップＳ１９０２  低機能コピー）、操作パネル制御部２０３は、「低機能」コピーがユーザにより選択された旨を第２割込み制御部４０３に通知する。通知を受けた第２割込み制御部４０３の処理は、図１１で説明した印刷ジョブの処理状況に基づく割込みコピーの判断処理に移行する（ステップＳ１９０５）。
【００７２】
一方、ステップＳ１９０２において、ユーザにより「通常」コピーが選択された場合（ステップＳ１９０２  通常コピー）、操作パネル制御部２０３は、「通常」コピーがユーザにより選択された旨を第２割込み制御部４０３に通知すると共に、液晶タッチパネル３０１にメモリ確保中画面１７０１を表示させる（ステップＳ１９０３）。
【００７３】
「通常」コピーがユーザにより選択された旨の通知を受けた第２割込み制御部４０３は、メモリ管理部４０４に対して「通常」コピーが実行可能な空きメモリ容量となるまで揮発性メモリ４０６を監視するよう指示を与える。揮発性メモリ４０６の空きメモリ容量が「通常」コピーを実行することが可能な容量に確保された場合（ステップＳ１９０４  Ｙｅｓ）、第２割込み制御部４０３の処理は、図１１で説明した印刷ジョブの処理状況に基づく割込みコピーの判断処理に移行する（ステップＳ１９０５）。一方、揮発性メモリの空きメモリ容量が「通常」コピーを実行することが可能な容量まで確保されない場合は、さらにメモリ管理部４０４は揮発性メモリ４０６の監視を続ける（ステップＳ１９０４  Ｎｏ）。
【００７４】
以上のように、第２の実施形態によれば、第１の実施形態の効果に加え、揮発性メモリの空きメモリ容量が「通常」コピーを実行することが可能な容量に確保されるまでの時間が表示されるため、ユーザが本当に割込みコピーを実行するか否かを判断することができ、ユーザにとってより利便性を向上させることができる。
【００７５】
本発明の実施形態においては、割込みコピーの処理に使用されるメモリ容量は固定値としていたが、本発明はこれに限定されるものではない。例えば、ユーザが割込みコピーを選択した後に、割込みコピーのための読み取り画素数や原稿の読み取り枚数等の割込みコピーを行う際の読み取り原稿情報を入力し、その情報から割込みコピーで使用されるメモリ容量を算出し、算出された容量と空きメモリ容量とを比較して、割込みコピーの実行可否を判断する形態としても構わない。
【００７６】
本発明の説明において、画像処理装置として複合機を一例として説明したが、本発明はこれに限定されるものではない。例えば、プリンタ、ファクシミリ等の画像処理装置にも適用することが可能である。
【図面の簡単な説明】
【００７７】
【図１】複合機の概略構成を説明するブロック図である。
【図２】スキャナの要部構成を示す機能ブロック図である。
【図３】操作パネルの具体的態様を表した概観図である。
【図４】プリンタの要部構成を説明する機能ブロック図である。
【図５】液晶タッチパネルが表示する表示画面を説明する図である。
【図６】液晶タッチパネルが表示する表示画面を説明する図である。
【図７】液晶タッチパネルが表示する表示画面を説明する図である。
【図８】アプリケーションメモリ使用量管理テーブルを説明する図である。
【図９】複合機による割込みコピーの判断処理を説明するフローチャートである。
【図１０】複合機による割込みコピーの判断処理を説明するフローチャートである。
【図１１】複合機による割込みコピーの判断処理を説明するフローチャートである。
【図１２】複合機による割込みコピーの判断処理を説明するフローチャートである。
【図１３】複合機による割込みコピーの判断処理を説明するフローチャートである。
【図１４】複合機による割込みコピーの判断処理を説明するフローチャートである。
【図１５】スキャナの要部構成を示す機能ブロック図である。
【図１６】アプリケーション実行時間管理テーブルを説明する図である。
【図１７】液晶タッチパネルが表示する表示画面を説明する図である。
【図１８】複合機による割込みコピーの判断処理を説明するフローチャートである。
【図１９】複合機による割込みコピーの判断処理を説明するフローチャートである。
【符号の説明】
【００７８】
１０１    複合機
１０１’  複合機
１０２    スキャナ
１０２’  スキャナ
１０３    プリンタ
２０１    スキャナ制御部
２０２    操作パネル
２０３    操作パネル制御部
２０４    第１割込み制御部
２０５    インタフェース部
２０６    時間管理部
３０１    液晶タッチパネル
３０２    モードキー
３０３    リセットキー
３０４    テンキー
３０５    モノクロスタートキー
３０６    カラースタートキー
３０７    ストップキー
３０８    割込みキー
４０１    ジョブ管理部
４０２    印刷ジョブ管理部
４０３    第２割込み制御部
４０４    メモリ管理部
４０５    不揮発性メモリ
４０６    揮発性メモリ
４０７    インタフェース部
【図１】
0005222020.tif 000002
【図２】
0005222020.tif 000003
【図３】
0005222020.tif 000004
【図４】
0005222020.tif 000005
【図５】
0005222020.tif 000006
【図６】
0005222020.tif 000007
【図７】
0005222020.tif 000008
【図８】
0005222020.tif 000009
【図９】
0005222020.tif 000010
【図１０】
0005222020.tif 000011
【図１１】
0005222020.tif 000012
【図１２】
0005222020.tif 000013
【図１３】
0005222020.tif 000014
【図１４】
0005222020.tif 000015
【図１５】
0005222020.tif 000016
【図１６】
0005222020.tif 000017
【図１７】
0005222020.tif 000018
【図１８】
0005222020.tif 000019
【図１９】
0005222020.tif 000020